(57)【要約】      （修正有）【課題】使用済み発泡スチロールを運搬が容易となるように容積を小さくする方法および装置を提供する。【解決手段】溶剤トリクロルエチレンが発泡スチロールを短時間に常温で簡単に溶解できるので、発泡スチロールを発生する現場にて運搬可能な自動車のタンクに乗せてトリクロルエチレンにて破砕溶解し、発泡スチロールを体積１／１００にする。回収基地に搬入後、蒸留装置５にてトリクロルエチレン９０％回収、発泡スチロール１００％  回収再使用可能な装置である。【選択図】図１
2005263817.tif 000002
【特許請求の範囲】
【請求項１】
移動可能及び破砕融解
可能なタンクローリー車（Ａ）で発泡スチロール５０％、溶剤トリクレン５０％の混合液を積み込んで使用済みの発泡スチロールを投入口（Ｂ）よりタンクに入れ攪拌羽根（Ｃ）を駆動ギヤー（Ｄ）及び軸（Ｅ）を介して回転させ破砕溶融を投入中も又運転中にも進行させ１／１００位にして基地まで運送する。
【請求項２】
溶剤及び発泡スチロールが完全に溶解したものを基地の据付タンクへ積み替えてその溶液を７０℃に昇温し、別の蒸留装置の熱水９５℃の中へ噴射する。放出した発泡スチロール及び溶剤トリクレンの混合液は（１）トリクレンは８７℃で気化する為に熱水の上に蒸発する。
（２）発泡スチロールは薄膜状で熱水上部に広がる。それに更に９５℃の熱水を噴霧することにより閉じ込められたトリクレンは強制的に飛出すので、完全な分離が行われる装置である。
【請求項３】
蒸発したトリクレンは逃げ出さないようにして１５℃以下の冷水でトリクレンを冷却するコンデンサーによって冷却して常温に戻すと元の溶剤になって再使用できる。《９５％が回収可能な装置》
トリクレンが早く分離されて、次回の発泡スチロールの溶剤として再利用できるし、バージン溶剤が節約できるので経費も助かる事になる。
【請求項４】
発泡スチロールは温度が上がると直ぐ薄膜状になり水面上に浮上するので９５℃以上の温度を保って早くかき取って集めることによりポリエスチレンとして再利用する事ができる。
【発明の詳細な説明】
【発明の詳細な説明】
【０００１】発明の属する技術分野
発泡スチロールのリサイクリングに於いて発泡スチロール回収の際、発泡スチロールの比重が軽いので容積が非常に大きくなり運搬に非常にコストがかかる。
そのため溶剤トリクロルエチレンが発泡スチロールを短時間に常温で簡単に溶解できるので、トリクレンを溶剤として使用する事にした。この事により発泡スチロールの運搬が非常に楽になりコストも安くすむ事になった。
回収した溶剤との混合液を熱水中に噴射すると液中なので熱の移動が早くトリクロルエチレンを閉じ込めることができないので、薄膜状の発泡スチロールの中に残留溶剤ができない。
【０００２】従来の技術
コンベアーベルトを加熱し、その表面に原料を薄膜状に供給して蒸留分離していた発泡スチロールの濃度２０％で厚さ１ｍ／ｍ以下でないと供給できない。
それ以上になると薄膜状のスチロールの中に溶剤が閉じ込められ残留するので完全な分離ができない。
そのため分離に長時間を要する。
【０００３】発明が解決しようとする課題
発泡スチロールと溶剤トリクロルエチレンの分離させる時に発砲スチロールがトリクロルエチレンを閉じ込めない内にトリクロルエチレンを気化させないと分離に長時間要する。
【０００４】課題を解決するための手段
回収した液を一旦、気化槽へ引取り之を加熱しポンプでこの液を蒸留槽へ導いて熱水中へ噴射する溶剤は８７℃で気化するので、これコンデンサーで冷却して回収する。
発泡スチロールは直ぐに薄膜状になるので之をコンベアで掬い取って回収する。
【０００５】発明実地の形態
回収した混合液を混合槽（１）に取込みこれを熱交換器（２）で加熱し７５℃位にする。７５℃位になった混合液を槽下部の取出弁（３）を開にして注入ポンプ（４）を運転し蒸留槽（５）へ注入する。
蒸留槽（５）は熱交換器（８）に蒸気入口（９）より蒸気を入れ昇温し循環ポンプ（１１）にて蒸留槽内の水を平均して９５℃に保ち混合液の注入を待つ溶剤トリクロルエチレンは８７℃で気化するので気化した溶剤及び気化した水がコンデンサー（６）に接触し冷却されるコンデンサー（６）は常に冷却水入口（１３）より冷水を注入し冷却水出口（１４）より温かくなった水を排出し低温を保つ
液体となったトリクロルエチレンと水は樋（７）に流れ水分離器（１２）に回収されセンサー（２０）にて溶剤取出しポンプ（１５）及び分離水取出しポンプの運転が自動制御され所定のタンクに回収される。
一方  薄膜状になった発泡スチロールは熱水の流れに導かれコンベア（１９）によりすくい上げ搬出され回収される。
【０００６】発明の効果
蒸留槽（５）内において９５℃以上の熱水中へ噴射すると溶剤トリクロルエチレンは８７℃以上になると気化するので、発砲スチロールが薄膜状になる前に気化するので薄膜状の内部へトリクロルエチレンが残留しないので回収が倍以上早く行われる。
【図面の簡単な説明】
【図１】本発明の簡単な縦断図面である。
【符号の説明】
（１）  混合液槽
（２）  熱交換器
（３）  取出し弁
（４）  注入ポンプ
（５）  蒸留槽
（６）  コンデンサー
（７）  樋
（８）  熱交換器
（９）  蒸気入口
（１０）ドレン出口
（１１）熱水循環ポンプ
（１２）水分離器
（１３）冷却水入口
（１４）冷却水出口
（１５）溶剤取出しポンプ
（１６）分離水取出しポンプ
（１７）蒸気入口
（１８）ドレン出口
（１９）コンベアー
（２０）センサー
【図１】
2005263817.tif 000003
【図２】
2005263817.tif 000004
【手続補正書】
【提出日】平成17年3月23日(2005.3.23)
【手続補正２】
【補正対象書類名】明細書
【補正対象項目名】全文
【補正方法】変更
【補正の内容】
【発明の詳細な説明】
【技術分野】
【発明の詳細な説明】
【０００１】発明の属する技術分野
発砲スチロールのリサイクリングにおいて発砲スチロール回収の際、発砲スチロールの比重が軽いので容積が非常に大きくなり運搬に非常にコストがかかる。
そのため溶剤トリクロルエチレンが発砲スチロールを短時間に常温で簡単に溶解できるので、トリクレンを溶剤として使用する事にした。この事により発砲スチロールの運搬が非常に楽になりコストも安くすむ事になった。
回収した溶剤との混合液を熱水中に噴射すると液中なので熱の移動が早くトリクロルエチレンを閉じ込める事ができないので、薄膜状の発砲スチロールの中に残留溶剤ができない。
【０００２】従来の技術
コンベアーベルトを加熱し、その表面に原料を薄膜状に供給して蒸留分離していた発砲スチロールの濃度２０％で厚さ１ｍ／ｍ以下でないと供給できない。
それ以上になると薄膜状のスチロールの中に溶剤が閉じ込められ残留するので完全な分離ができない。
そのため分離に長時間を要する。
【０００３】発明が解決しようとする課題
発砲スチロールと溶剤トリクロルエチレンの分離させる時に発砲スチロールがトリクロルエチレンを閉じ込めない内にトリクロルエチレンを気化させないと分離に長時間要する。
【０００４】課題を解決するための手段
回収した液を一旦、気化槽へ引き取り之を加熱しポンプでこの液を蒸留槽へ導いて熱水中へ噴射する溶剤は８７℃で気化するので、これをコンデンサ−で冷却して回収する。
発砲スチロールは直ぐに薄膜状になるので之をコンベアで掬い取って回収する。
【０００５】発明実地の形態
回収した混合液を混合槽（１）に取込みこれを熱交換器（２）で加熱し７５℃位にする。７５℃位になった混合液を槽下部の取出弁（３）を開にして注入ポンプ（４）を運転し蒸留槽（５）へ注入する。
蒸留槽（５）は熱交換器（８）に蒸気入口（９）より蒸気を入れ昇温、循環ポンプ（１１）にて上流槽内の水を平均して９５℃に保ち混合液の注入を待つ溶剤トリクロルエチレンは８７℃で気化するので気化した溶剤及び気化した水がコンデンサー（６）に接触し冷却されるコンデンサー（６）は常に冷却水入口（１３）より冷水を注入し冷却水出口（１４）より温かくなった水を排出し低温を保つ
液体となったトリクロルエチレンと水は樋（７）に流れ、水分離器（１２）に回収されセンサー（２０）にて溶剤取出しポンプ（１５）及び分離水取出しポンプの運転が自動制御され所定のタンクに回収される。
一方、薄膜状になった発砲スチロールは熱水の流れに導かれコンベア（１９）によりすくい上げ搬出され回収される。
【０００６】発明の効果
蒸留槽（５）内において９５℃以上の熱水中へ噴射すると溶剤トリクロルエチレンは８７℃以上になると気化するので、発砲スチロールが薄膜状になる前に気化するので薄膜状の内部ヘトリクロルエチレンが残留しないので、回収が倍以上早く行われる。
【図面の簡単な説明】
【０００７】
【図１】本発明の簡単な正面図と側面図である。
【図２】本発明の簡単な自動車側面図である。
【符号の説明】
【０００８】（１）  混合液槽
（２）  熱交換器
（３）  取出し弁
（４）  注入ポンプ
（５）  蒸留槽
（６）  コンデンサー
（７）  樋
（８）  熱交換器
（９）  蒸気入口
（１０）ドレン出口
（１１）熱水循環ポンプ
（１２）水分離器
（１３）冷却水入口
（１４）冷却水出口
（１５）溶剤取出しポンプ
（１６）分離水取出しポンプ
（１７）蒸気入口
（１８）ドレン入口
（１９）コンベア
（２０）センサー
Ａ．タンク
Ｂ．投入口
Ｃ．撹拌羽根
Ｄ．駆動ギヤー
Ｅ．軸
Ｆ．排出口
【手続補正３】
【補正対象書類名】図面
【補正対象項目名】図１
【補正方法】変更
【補正の内容】
【図１】
2005263817.tif 000005